(57)【特許請求の範囲】
【請求項１】
キャビネット等の家具における引出しであって、前板と裏板から成り、内部に空間部が形成される引出しの正面板の内部に、シリンダー錠とシリンダー錠を内包するケースを備える錠本体と、錠本体に連結され、シリンダー錠の施開錠操作に連動して左右方向に往復移動し、一端が、引き出しの側面から進退することで引出しの施錠と開錠を行う施錠杆と、施錠杆の左右方向の往復移動に合わせて左右方向に往復移動し、引出しの施錠、開錠の状態を表示する表示体と、施錠、開錠の状態が確認できるよう前板に設けられた表示窓から構成された施開錠確認装置において、表示体は、施錠杆に着脱自在にとりつけられ、錠本体の上方の位置で、表示窓から施錠、開錠の状態を示す表示部を有する表示用前面板と、表示用前面板に連設され、施錠杆の往復移動に連動して表示用前面板を往復移動させる移動用連設板よりなり、表示用前面板は、錠本体の上面に載置せしめることにより表示体の下方への動きを規制するガイド部を備えていることを特徴とする施開錠確認装置。
【請求項２】
施錠杆を備えた錠本体は裏板に装着され、移動用連設板は、施錠杆に設けられた被係合部に係脱自在な係合部を有し、係合部が被係合部に係合した状態で、表示体が施錠杆に対して左右移動不能とされるとともに、表示体は施錠杆と連動して左右方向に移動可能に、施錠杆と引出しの前板間に保持されていることを特徴とする請求項１に記載の施開錠確認装置。
【発明の詳細な説明】
【技術分野】
【０００１】
本発明は、例えばキャビネットなどの引出しが、施錠されているか否かを、容易に確認しうるようにした施解錠確認装置に関するものである。
【背景技術】
【０００２】
引出し等の施解錠状態を遠目からでも確認できるよう、引出しの前面に設けた錠に、施解錠操作により往復運動する施錠杆の前面に施解錠を示す表示板を設けると共に、家具の前面にいずれか一方の表示板が露呈する確認窓を設けて引出しの施錠を容易に視認しうるようにしたものが提供されている。（例えば、特許文献１参照。）
上記構成では、キーの施解錠操作により左右動する帯状施錠杆の前面に、解錠表示板と施錠表示板が左右に並んで前面に貼着された取り付け金具を固着し、引出しの正面板には、前記両表示板の対応する箇所に、両表示板のいずれか一方が露呈する確認窓が穿設されている。
【０００３】
上記構成によると、取り付け金具を帯状施錠杆に固着するための手段（溶接等）が必要となる。又、引出し等の施解錠確認装置として、引出しの前板裏面に各部材（シリンダー錠、帯状施錠杆等）を組み込むまで、各部材ごと保管、管理する必要があるが、帯状施錠杆に取り付け金具が固着されているので、帯状施錠杆（帯状施錠杆が取り付けられたシリンダー錠）を整然とした状態で保管、管理するのが容易でない。
さらに、表示板は取り付け金具の前面に左右に並んで貼着され、取り付け金具はキーの施解錠操作により左右動する帯状施錠杆の前面に固着されているので、確認窓はシリンダー錠の左右方向に位置することなり、したがって、シリンダー錠を引出しの正面板の左右端部側に設けることができない。
すなわち、デザイン的な向上を図るためシリンダー錠を目立たない位置に設けることができず、必然的に違和感のないよう、引出しの正面板の中央部に設けることとなり、従来製品とのデザイン的な差別感をもたらすことができないという問題があった。
【先行技術文献】
【特許文献】
【０００４】
【特許文献１】実開昭６３−１９６６７号公報
【発明の概要】
【発明が解決しようとする課題】
【０００５】
本願発明は、このような問題に鑑み、簡単な構成で、各部材の保管、管理も容易で、シリンダー錠の上方に表示板が位置し、シリンダー錠を引出しの正面板の左右端部に取り付けることも可能で、デザイン的向上も図ることができる施解錠確認装置を提供することを課題とするものである。
【課題を解決するための手段】
【０００６】
そこで、上記課題を解決する為、本発明が第１の手段として構成したところは、キャビネット等の家具における引出しであって、前板と裏板から成り、内部に空間部が形成される引出しの正面板の内部に、シリンダー錠とシリンダー錠を内包するケースを備える錠本体と、錠本体に連結され、シリンダー錠の施開錠操作に連動して左右方向に往復移動し、一端が、引き出しの側面から進退することで引出しの施錠と開錠を行う施錠杆と、施錠杆の左右方向の往復移動に合わせて左右方向に往復移動し、引出しの施錠、開錠の状態を表示する表示体と、施錠、開錠の状態が確認できるよう前板に設けられた表示窓から構成された施開錠確認装置において、表示体は、施錠杆に着脱自在にとりつけられ、錠本体の上方の位置で、確認窓から施錠、開錠の状態を示す表示部を有する表示用前面板と、表示用前面板に連設され、施錠杆の往復移動に連動して表示用前面板を往復移動させる移動用連設板よりなり、表示用前面板は、錠本体の上面に載置せしめることにより表示体の下方への動きを規制するガイド部を備えているものである。
【０００７】
次に上記課題を解決する為、本発明が第２の手段として構成したところは、第１の手段に加え、施錠杆を備えた錠本体は裏板に装着され、移動用連設板は、施錠杆に設けられた被係合部に係脱自在な係合部を有し、係合部が被係合部に係合した状態で、表示体が施錠杆に対して左右移動不能とされるとともに、表示体は施錠杆と連動して左右方向に移動可能に、施錠杆と引出しの前板間に保持されているものである。
【発明の効果】
【０００８】
第１手段として構成したところによると、表示体は、施錠杆に着脱自在にとりつけられているので、引出しの前板裏面に各部材を組み込むまで、各部材の保管、管理が容易であり、組立が簡単でトータルコストの削減が図れる。
表示部が錠本体の上方に位置するので、錠本体を前板の左右端部側の設けることができるので、鍵穴が目立たず、正面板のデザイン的な向上を図ることができる。
第２手段として構成したところによると、第１の手段として構成したところによる効果に加え、表示体は施錠杆に設けられた被係合部に係脱自在な係合部を有し、施錠杆と連動して左右方向に移動可能に、施錠杆と引出しの前板間に保持されているので、表示体を取り付けるのにネジ止め等を必要とせず、組み立てが容易でコストダウンが図れる。
【図面の簡単な説明】
【０００９】
【図１】本発明の要部分解斜視図。
【図２】本発明の要部斜視図。
【図３】本発明の要部正面図。
【図４】正面板に取り付けた状態の要部横断面図。
【図５】正面板に取り付けた状態の要部縦断面図。
【図６】本発明の第２実施例の要部分解斜視図。
【発明を実施するための形態】
【００１０】
本発明は、キャビネット等の家具における引出しであって、前板と裏板から成り、内部に空間部が形成される引出しの正面板の内部に、シリンダー錠とシリンダー錠を内包するケースを備える錠本体と、錠本体に連結され、シリンダー錠の施開錠操作に連動して左右方向に往復移動し、一端が、引き出しの側面から進退することで引出しの施錠と開錠を行う施錠杆と、施錠杆の左右方向の往復移動に合わせて左右方向に往復移動し、引出しの施錠、開錠の状態を表示する表示体と、施錠、開錠の状態が確認できるよう前板に設けられた表示窓から構成された施開錠確認装置において、表示体は、施錠杆に着脱自在にとりつけられ、錠本体の上方の位置で、確認窓から施錠、開錠の状態を示す表示部を有する表示用前面板と、表示用前面板に連設され、施錠杆の往復移動に連動して表示用前面板を往復移動させる移動用連設板よりなり、表示用前面板は、錠本体の上面に載置せしめることにより表示体の下方への動きを規制するガイド部を備え、施錠杆を備えた錠本体は裏板に装着され、移動用連設板は、施錠杆に設けられた被係合部に係脱自在な係合部を有し、係合部が被係合部に係合した状態で、表示体が施錠杆に対して左右移動不能とされるとともに、表示体は施錠杆と連動して左右方向に移動可能に、施錠杆と引出しの前板間に保持されているものである。
【実施例１】
【００１１】
第１実施例を、添付図面に基づいて詳述する。
図１において、符号１は錠本体を示し、符号２は錠本体１に連結された施錠杆を示し、符号３は施錠杆２と連動する表示体３を示し、符号５は錠本体取付座を示している。
錠本体取付座５は、引出しの正面板６（図４、図５に示す。）を構成する裏板６１の表面側の所定位置に連結される連結片５１と、連結片５１の上下端部から上下に所定間隔（錠本体１の高さ寸法にほぼ等しい間隔）を有して、正面板６の前板６２方向に突出する上下突片５２、５２と、上下突片５２、５２の前板６２、６２側端部をやや下方に突出させた上下係止突片５３、５３より縦断面略コ字形で、左右方向に所定の幅寸法（錠本体１の幅寸法の約５倍弱の寸法）に形成されている。
そして、上下係止突片５３、５３は、錠本体１が左右方向から取り付け易くするため、左右端部側の高さ寸法が小さく形成され、中央部と、中央部から一方の端部側よりに係合凹部５３１、５３１、５３２、５３２を有している。
【００１２】
錠本体１は、シリンダー錠１１と、シリンダー錠１１を内包する横長角柱状のケース１２より構成され、シリンダー錠１１の鍵穴１１１側端部はケース１２の前面側端面より前方にやや突出して、嵌合段部１０を形成している。
そして、ケース１２の４周面（本発明で必要なのは上下面）に、前記上下係止突片５３、５３に左右方向から嵌入係止する上下係止溝１２１、１２１が形成され、上下係止溝１２１、１２１の左右方向中央部に、前記係合凹部５３１、５３１、５３２、５３２に嵌合する嵌合凸部１２２、１２２が設けられている。
【００１３】
施錠杆２は、シリンダー錠１１の施開錠操作に連動して左右方向に往復移動し、一端が、引き出しの側面から進退することで引出しの施錠と開錠を行う施解錠部２１と、錠本体１と連結され、施解錠部２１と反対側の端部側が、錠本体１から側方に突出する連結部２２と、連結部２２と施解錠部２１間で前後方向に連設され、連結部２２と施解錠部２１の高さ寸法より上下方向で小さく形成された係止段部２０より構成されている。
【００１４】
表示体３は、施錠杆２に着脱自在にとりつけられ、錠本体１１の上方の位置で、前板６２に形成された確認窓６２０から施錠、開錠の状態を示す表示部３０を有する表示用前面板３１と、表示用前面板３１の左右端部から後方に突出して連設され、施錠杆２の往復移動によって表示用前面板３１を往復移動させる左右移動用連設板３２、３２より構成されている。
【００１５】
そして、表示部３０は、施錠状態の時、確認窓６２０に臨む施錠表示部３０１と、解錠状態の時、確認窓６２０に臨む解錠表示部３０２が左右に並設して構成されている。
尚、実施例では施錠表示部３０１は赤色に、解錠表示部３０２は青色に表示されている。
又、表示部３０の下方には、錠本体１の左右寸法より所定寸法左右方向に長い（施錠表示部３０１と解錠表示部３０２が確認窓６２０に臨む位置まで、表示体３が移動可能な左右方向の寸法を有する）、錠本体１の前端部（ケース１２の前端部）が嵌入可能なガイド孔３１１が形成されている。
【００１６】
すなわち、錠本体１の前端部と表示用前面板３１に形成されたガイド孔３１１が嵌合した状態で、ガイド孔３１１の上縁が錠本体１の上面に載置され、錠本体１に支持された状態で表示体３が左右に移動可能となる。この時、ガイド孔３１１の上縁が、表示体３の下方への動きを規制するガイド部３１２となる。
【００１７】
又、左移動用連設板３２の施錠杆２側端部には、係止段部２０に外嵌係止する係止凹部３２１が形成され、右移動用連設板３２の施錠杆２側端部には施錠杆２の端部側端面に当接
する当接用突片３２２が形成されている。
【００１８】
第１実施例の錠本体１と、施錠杆２と、表示体３は上記の如く構成され、次のようにして正面板６に組み込まれる。
まず、施錠杆２が取り付けられた錠本体１の上下係止溝１２１、１２１に、裏板６１に取り付けられた錠本体取付座５の上下係止突片５３、５３が係止するよう、錠本体取付座５の側方から錠本体１を差込み、係合凹部５３２、５３２に凸部１２２、１２２係合させ、錠本体１を錠本体取付座５に保持する。
【００１９】
次ぎに、錠本体１の前端部が表示体３のガイド孔３１１に嵌入するよう、表示体３の右移動連設板３２を錠本体取付座５の上下係止突片５３、５３間で、左移動連設板３２を錠本体取付座５の外側に位置させて、前方から取り付けて同時に係止段部２０に係止凹部３２１を外嵌係止せしめ、同時に当接用突片３２２を施錠杆２の端部側端面に当接させる。
【００２０】
さらに、上記状態を維持しながら、シリンダー錠１１の先端部分に、前板６２に形成されシリンダー錠嵌合孔６２１を嵌合し、嵌合段部１０に前板６２の裏面を当接した状態で、裏板６１と正面板６２を適宜手段で連結する。この状態で、表示板３は、前後方向は前板６２と施錠杆２で保持され、上方向への移動はガイド部３１２と錠本体１で保持され、左右方向は係止段部２０と係止凹部３２１、および、施錠杆２と当接用突片３２２で保持されている。
すなわちこの状態で、第１実施例では、施錠杆２の係止段部２０と、施錠杆２の反対方向の端面が被係合部となり、表示体３の係止凹部３２１と当接用突片３２２が係合部となる。
そして、施錠杆２はシリンダー錠１１の施開錠操作に連動して左右方向に往復移動し、一端が、引き出しの側面から進退することで引出しの施錠と開錠を行い、施錠杆の左右方向の往復移動に合わせて表示体３も移動し、施錠表示部３０１と解錠表示部３０２が前板６２に設けられた表示窓６２０から施錠、開錠の表示を行う。
【００２１】
次に第２実施例について説明する。
第２実施例の錠本体１、錠本体取付座５は第１実施例と同様であるから説明は省略する。
第２実施例の施錠杆２は、シリンダー錠１１の施開錠操作に連動して左右方向に往復移動し、一端が、引き出しの側面から進退することで引出しの施錠と開錠を行う施解錠部２１と、錠本体１と連結され、施解錠部２１と反対側の端部側が、錠本体１から側方に突出する連結部２２と、連結部２２と施解錠部２１間で前後方向に連設された連設部２３より構成され、連結部２２の連設部２３側端部に縦方向に表示体３の一部が嵌入係止する嵌入係止孔２２１が形成されている。
【００２２】
表示体３は、施錠杆２に着脱自在にとりつけられ、錠本体１１の上方の位置で、前板６２に形成された確認窓６２０から施錠、開錠の状態を示す表示部３０を有する表示用前面板３１と、表示用前面板３１の左端部から後方に突出して連設され、施錠杆２の往復移動によって表示用前面板３１を往復移動させる左移動用連設板３２より構成されている。
【００２３】
そして、表示部３０は、施錠状態の時、確認窓６２０に臨む施錠表示部３０１と、解錠状態の時、確認窓６２０に臨む解錠表示部３０２が左右に並設して構成されている。
尚、実施例では施錠表示部３０１は赤色に、解錠表示部３０２は青色に表示されている。
又、表示部３０の下方には、錠本体１の左右寸法より所定寸法左右方向に長い（施錠表示部３０１と解錠表示部３０２が確認窓６２０に臨む位置まで、表示体３が移動可能な左右方向の寸法を有する）、錠本体１の前端部（ケース１２の前端部）が下方から嵌入可能な嵌入用切り欠き部３１３が形成されている。
【００２４】
すなわち、錠本体１の前端部に表示用前面板３１に形成された嵌入用切り欠き部３１３が外嵌した状態で、嵌入用切り欠き部３１３の上縁が錠本体１の上面に載置され、錠本体１に支持された状態で表示体３が左右に移動可能となる。この時、嵌入用切り欠き部３１３の上縁が、表示体３の下方への動きを規制するガイド部３１２となる。
又、左移動用連設板３２の施錠杆２側端部には、嵌入係止孔２２１に嵌入係止する嵌入係止突片３２３が形成されている。
【００２５】
第２実施例の錠本体１と、施錠杆２と、表示体３は上記の如く構成され、次のようにして正面板６に組み込まれる。
まず、第１実施例同様、施錠杆２が取り付けられた錠本体１錠本体１を錠本体取付座５に保持する。
次に、錠本体１の前端部に表示体３の嵌入用切り欠き部３１３の上縁が載置するよう前方から取り付けて、を嵌入係止させる。
さらに、上記状態を維持しながら、第１実施例同様、裏板６１と正面板６２を適宜手段で連結する。
この状態で、表示板３は、前後方向は前板６２と施錠杆２で保持され、下方向はガイド部３１２と錠本体１で保持され、左右方向は嵌入係止孔２２１と嵌入係止突片３２３で保持されている。
【００２６】
すなわちこの状態で、第２実施例では、施錠杆２の嵌入係止孔２２１が被係合部となり、表示体３の嵌入係止突片３２３が係合部となる。
そして、施錠杆２はシリンダー錠１１の施開錠操作に連動して左右方向に往復移動し、一端が、引き出しの側面から進退することで引出しの施錠と開錠を行い、施錠杆の左右方向の往復移動に合わせて表示体３も移動し、施錠表示部３０１と解錠表示部３０２が前板６２に設けられた表示窓６２０から施錠、開錠の表示を行う。
【産業上の利用可能性】
【００２７】
以上のように、本発明は、簡単な構成でシリンダー錠の施解錠操作に連動して、施解錠状態が表示でき、遠目からでも容易に視認できるので、キャビネットの引出しや、開き戸、などに広く利用することができる。
【符号の説明】
【００２８】
１                錠本体
１１              シリンダー錠
１２              ケース
２                施錠杆
２０              係止段部（被係合部）
２２１            嵌入係止孔（被係合部）
３                表示体
３０              表示部
３１              表示用前面板
３１２            ガイド部
３２              移動用連設板
３２１            係止凹部（係合部）
３２２            当接用突片（係合部）
３２３            嵌入係止突片（係合部）
５                錠本体取付座
６                正面板
６１              裏板
６２              前板
６２０            表示窓
【図１】
0005886683.tif 000002
【図２】
0005886683.tif 000003
【図３】
0005886683.tif 000004
【図４】
0005886683.tif 000005
【図５】
0005886683.tif 000006
【図６】
0005886683.tif 000007